(57)【要約】【課題】小さい物を整理して収容できる重宝な引出しを提供する。【手段】引出し７は、前板１２と左右側板１３と底板１４と後ろ板１５とを備えており、これらで囲われた部分が主収容部１７になっている。前板１２は側板１３の左右両側に張り出しており、この張り出し部にキャップ２１を装着することによってポケット部２２が形成されている。ポケット部２２にクリップやコイン、消しゴムなどの小物を入れて整理できる。また、ポケット部２２で脚３の前面を隠すことにより、多数の机ユニット１の引出し群の前面のラインを一直線状に揃えてスッキリしたデザインと成すことができる。【選択図】図３
2007117473.tif 000002
【特許請求の範囲】
【請求項１】
前板と左右の側板で仕切られた主収容部の左右外側のうちいずれか一方又は両方に、小物を収納可能な上向き開口のポケット部を設けている、
引出し。
【請求項２】
天板の下面箇所に引出しが装架されている複数の机ユニットを、左右に隣り合った天板の側面が突き合わさるようにして配置し、左右に隣り合った２枚の天板の端部を共通した一つの脚で支持して成る机システムであって、
前記引出しは、前板と左右の側板で仕切られた主収容部の左右外側のうち少なくとも前記脚に近い部分でかつ前部に横向きに張り出したポケット部を設けており、前記ポケット部を脚の手前に位置させるか、又は、ポケット部を脚の左右側面に近接させている、
多連式机システム。
【発明の詳細な説明】
【技術分野】
【０００１】
本願発明は、引出し及びこれを備えた多連式机システムに関するものである。
【背景技術】
【０００２】
周知のように、引出しは前板と左右側板と後ろ板とを備えているが、収容した物品が内部で乱雑になることがある。特に、小さいもの（例えばクリップ類や消しゴムなど）は引出しの内部に散乱しやすい。
【０００３】
この点については、収容部の前部を左右横長の壁で仕切ることによって小物収納部と成すことが行われている。他方、特許文献１には、前板を上向きに開口した形状と成して、前板に小物を主要できるポケット部を形成すること、換言すると、主収容部の手前側にポケット部を形成することが記載されている。
【特許文献１】特開２００３−１６４３４５号公報
【発明の開示】
【発明が解決しようとする課題】
【０００４】
引出しにおいて主収容部を隔壁で前後に仕切ると小物の整理に便利であるが、仕切り壁の手前の前収納部は左右に長いため、やはり、小物が散乱することがある。他方、特許文献１においても小物類を整理することは可能であるが、デザイン的に極めて特殊であるため、事務用机のような通常の机には適用し難いという問題がある。
【０００５】
本願発明は、この問題を解消することを課題とするものである。
【０００６】
ところで、机を左右に並設して多連式机システムと成す場合、左右に配置した天板を一つの脚で支持する（すなわち左右の机ユニットの脚を共用する）と、机システム全体として部材を節約できて好適である。そして、多連式机システムにおいて、天板の下面に設けた引出しの前端を一直線状に揃えて体裁を整えたい場合があるが、従来は、脚を挟んだ両側に引出しが配置されているため、すなわち、脚の前面が露出するため、引出し群の前面のラインが脚で途切れて美的効果を発揮することが難しいという問題があった。
【０００７】
本願発明は、この問題を解消することも課題とするものである。
【課題を解決するための手段】
【０００８】
本願発明は引出しと多連式机システムとを含んでいる。そして、前板と左右の側板で仕切られた主収容部の左右外側のうちいずれか一方又は両方に、小物を収納可能な上向き開口のポケット部を設けている。
【０００９】
他方、多連式机システムの発明は、請求項２の構成になっている。すなわち、天板の下面箇所に引出しが装架されている複数の机ユニットを、左右に隣り合った天板の側面が突き合わさるようにして配置し、左右に隣り合った２枚の天板の端部を共通した一つの脚で支持して成る机システムにおいて、前記引出しは、前板と左右の側板で仕切られた主収容部の左右外側のうち少なくとも前記脚に近い部分でかつ前部に横向きに張り出したポケット部を設けており、前記ポケット部を脚の手前に位置させている。
【発明の効果】
【００１０】
請求項１のように構成すると、主収容部の外側になるポケット部に小物を収容できるため、小物を整理することができる。特に、実施形態のようにポケット部を前部のみに設けると、ポケット部の中で小物が散乱することはないため、整理機能がより向上する。また、ポケット部は主収容部の左右外側に設けているため特許文献１のようなデザイン的な違和感はなく、オフィス用机のような通常の机やテーブル類にも支障なく適用できる。
【００１１】
また、請求項２のように構成すると、左右の天板を１つの脚で支持してなる多連式机システムを構成するにおいて、引出しのポケット部で脚の前面を隠せるため、多数の引出しの前面を一直線状に揃えることができ美感を向上することができる。
【発明を実施するための最良の形態】
【００１２】
次に、本願発明の実施形態を図面に基づいて説明する。
【００１３】
(1).第１実施形態（図１〜図４）
図１〜図４では第１実施形態を示している。図１は多連式机システムの斜視図であり、１枚の天板２を有する机ユニット１が左右に並設されて多連式机システムを構成し、かつ、前後の多連式机システムが背中合わせに配置されている。
【００１４】
左右に隣り合った天板２は１つの脚３又は袖キャビネット４で支持されており、多連式机システムの左右端部を構成する部分では天板２の端部は一つの脚３又は袖キャビネット４で支持されている。脚３は、中空板状の基部の上端と下端からアームが前向きに延びているいわゆるＬ脚となっており、従って、平面視では前後方向に細長い形状である。上アームを符号３ａで示している。
【００１５】
天板２は脚３又は袖キャビネット４に連結されており、また、脚３又は袖キャビネット４は机ユニット１を構成する背面部材５に連結されている。前後の机ユニット１において背面部材５は共用されている。符号６は机上パネルである。天板２の下面箇所には引出し７を配置している。以下、図２以下の図面も参照して引出し７について説明する。
【００１６】
図２のうち（Ａ）は天板２を仮想線で示した平面図、（Ｂ）は（Ａ）のＢ−Ｂ視断面図、図３は引出し７の斜視図、図４は引出し７の要部を示す分離斜視図である。
【００１７】
図２（Ａ）に示すように、左右に隣り合った天板２は脚３の左半分と右半分とで支持されている。図示していないが、天板２は金具類を使用して脚３に連結（固定）されている。天板２の下面箇所には、左右のレール８を介して引出し７が脚３に近接した状態で配置されている。図２（Ａ）では右側の天板２の下面にしか引出し７を表示していないが、左側の天板２の下面箇所にも脚３に近接した状態で引出し７を配置することは可能である。
【００１８】
本実施形態の天板２はスチール製（勿論、木製等でもよい）であり、図２（Ｂ）に示すように、表面板８を左右長手の複数の溝型補強フレーム１０で支持した構造であり、補強フレーム１０に左右一対のレール８を取り付けて、このレール８に引出し７を前後動自在に装架している。
【００１９】
例えば図３から容易に理解できるように、引出し７は、樹脂製の前板（前エッジといってもよい）１２と、左右の側板１３と、前板１２及び側板１３に固定した底板１４とを備えており、底板１４の後端に後ろ板１５を折り曲げ形成している。
【００２０】
側板１３には、その上端に位置した角形部１３ａと下端に位置した下ガイド片１３ｂとを外側に張り出すように形成しており、図２（Ｂ）に示すように、角形部１３ａをレール８で支持している。レール８の前部と側板１３の後部とにはスライダー１６を設けている。本実施形態では側板１３と底板１４とを別体に構成しているが、側板１３を底板１４に折り曲げ形成することも可能である。
【００２１】
前板１２と左右側板１３と後ろ板１５とで囲われた部分が主収容部１７となっているが、図３及び図４から理解できるように、底板１４の前部に左右長手の仕切り壁１８を上向きに膨出形成することにより、主収容部１７のうち手前側の部分を幅狭の前収納部１７ａと成している。底板１４は前収納部１７ａの箇所で段が高くなっており、その前端に上向きの前面板１４ａを折り曲げ形成し、更に、前面板１４ａの上端に前向き片１４ｂを折り曲げ形成している。
【００２２】
図３及び図４に示すように、前板１２は、側板１３の前端及び底板１４の前面板が突き合わさる基部１２ａと、その下部に設けた前向き張り出し部１２ｂと、基部１２ａの下部に設けた後ろ向き張り出し部１２ｃとを備えており、このため、前板１２の前面は段違い状になっている。これは主としてデザイン的な要請に基づくものであり、前面をフラットに形成することも可能である。
【００２３】
底板１４の前端部は前板１２の後ろ向き張り出し部１２ｃに重なっている。このため、机の使用者は前板１２の後ろ向き張り出し部１２ｃの後面に指を掛けることができる。つまり、主収容部１７の前部を段が高い前収納部１７ａと成したことにより、前板１２の後ろ向き張り出し部１２ｃを引手部と成すことができるのであり、従って、前板１２に引手穴を設けてたり、別途引手片を設けたりする必要はない。
【００２４】
前板１２における基部１２ａには、側板１３の前端部が嵌まる角形凹所１９と底板１４の前向き片１４ｂが嵌まる横長溝２０とを形成している。このため、前板１２と側板１３及び底板１４とはガタツキのない状態にきっちりと固定される。なお、前板１２と底板１４とはビス等で固定されている。
【００２５】
前板１２は側板１３の左右外側に張り出しており、張り出し部にキャップ２１を装着することにより、主収容部１７における前収納部１７ａの左右外側に張り出したポケット部２２が形成されている。
【００２６】
キャップ２１は、上方及び前方に開口した本体部２１ａと、前板１２の左右側端面に重なる端板２１ｂとを備えており、端板２１ｂに複数本（２本）のピン２３を突設し、このピン２３を前板１２の端面に形成した穴２４に強制的に嵌め込でいる。キャップ２１には、側板１３との干渉を回避するための逃がし部２１ｃを形成しており、このため、ポケット部２２の空所は逃がし部２１ｃの箇所で僅かの深さしかない。
【００２７】
本実施形態では、キャップ２１と前板１２とが共同してポケット部２２を構成しているが、独立したポケット体を形成してこれを前板１２又は側板１３に固定したり、或いは、前板１２の左右端部にポケット部２２を一体形成したりすることも可能である。いずれにしても、ポケット部２２にクリップやコイン、消しゴム等の小さい物を入れることができるため、小物の整理用として重宝である。
【００２８】
図２（Ａ）に示すように、左右に隣り合った天板２は１つの脚３で支持されているが、左右の天板２に設けた引出し７のポケット部２２は互いに近接しており、脚３の上アームは左右に隣り合ったポケット部７の後方に隠れている。このため、多連式机において、引出し群の前面のラインを一直線状に揃えてスッキリとした体裁を得ることができる。
【００２９】
なお、袖キャビネット４における最上段の引出し４ａの上部前面も天板用引出し７の前板１２と側面視で同じ段違い状に形成されており、このため、天板の引出し７と袖キャビネット４の上段引出し４ａの前面のラインも一直線状に揃っていて美感に優れている。
【００３０】
多連式机システムの左又は右端の箇所、及び、机ユニット１を単体で使用する場合は、天板２は脚３の上面全体に重なるが、この場合は、脚３における上フレーム３ａの前面全体が引出し７のポケット部２２で隠れている。従って、ポケット部２２の左右幅寸法は脚３におこる上アーム３ａの左右横幅よりもやや大きい寸法に設定している。
【００３１】
ところで、図２（Ｃ）に示すように、引出し７の前面と脚３における上アーム３ａの前面をおおよそ揃えることも可能である。この場合、引出し７と脚３の上アーム３ａとの間隔はできるだけ詰まっているのが美感の点から好ましい。
【００３２】
そして、レール８の取り付け位置は一定であることから、１つの脚３で１枚の天板２だけを支持する場合はポケット部２２を備えていない引出しを使用し、１つの脚で２枚の天板２を支持する場合はポケット部２２を備えた引出し７を使用することにより、引出し７と脚３との間の隙間をごく小さくした状態を保持して美感を確保することができる。
【００３３】
本実施形態のように前板１２にキャップ２１を取り付けることでポケット部２２を設ける構成にすると、ポケット部２２を備えている引出し７と備えていない引出し７とで側板１３及び底板１４を兼用できる利点がある（前板だけを交換したらよい）。また、ポケット部２２を備えていない引出しと備えた引出し７を併用する場合は、前板１２を左右側板からはみ出ない長さとして、これにポケット部２２を取り付けることにより、引出し自体をポケット部のあるものと無いものとに兼用することも可能である。
【００３４】
(2).他の実施形態
図５では第２実施形態を示している。この実施形態では、ポケット部２２は金属板製（スチール製）又は樹脂製であり、左右側板１３に沿って前後方向に長く延びている（従って、この実施形態では、脚３と引出し７との関係は図２（Ｃ）の仕様になる。）
そして、ポケット部２２をレール８による支持部に兼用している。このようにポケット部２２を細長い形状に形成すると、ボールペンや定規のような長い物を整理てきる利点がある。図５（Ｂ）に一点差で示すように、ポケット部２２を蓋（カバー）２５で覆うことも可能である（この点は第１実施形態も同じである）。
【００３５】
(3).その他
本願発明は上記の実施形態の他にも様々に具体化できる。例えば、適用対象としては机やテーブルの引出し７に限らず、キャビットやワゴンの引出しに適用することも可能である。また、引出しの素材には限定はなく、木製や樹脂製であってもよい。
【図面の簡単な説明】
【００３６】
【図１】多連式机システムの斜視図である。
【図２】(A) は天板を仮想線で示した平面図、(B) は(A) の B-B視断面図、(C) は引出しの他の配置形態を示す部分平面図である。
【図３】引出しの斜視図である。
【図４】引出しの要部を示す分離斜視図である。
【図５】第２実施形態を示す図である。
【符号の説明】
【００３７】
１  机ユニット
２  天板
３  脚
７  引出し
８  レール
１２  前板
１３  側板
１４  底板
１７  主収容部
２１  キャップ
２２  ポケット部
【図１】
2007117473.tif 000003
【図２】
2007117473.tif 000004
【図３】
2007117473.tif 000005
【図４】
2007117473.tif 000006
【図５】
2007117473.tif 000007